(57)【要約】【課題】自動販売機のコストを低減できる自動販売機及びその制御方法、制御装置、システムを提供する。【解決手段】移動端末が自動販売機の二次元コードをスキャンして送信したアクセス要求を受信するステップと、移動端末に、オンラインモールに関連し且つ自動販売機に展示されている商品に対応する商品展示画面を送信するステップと、移動端末によってユーザがオンラインモールから選択した商品を確定した後、支払画面を移動端末にプッシュして表示させるステップと、移動端末によってユーザが選出した支払方式を確定した後、支払方式に対応する支払ツールバックグラウンドにドッキングして、支払ツールの支払画面を移動端末にプッシュして、ユーザの電子支払に用いられるステップと、支払ツールからフィードバックされた支払成功信号を受信したとき、自動販売機から対応商品が送出されるように、自動販売機へ商品送出命令を送信するステップとを含む。【選択図】図１
2018181289.tif 000002
【特許請求の範囲】
【請求項１】
自動販売機と通信接続され且つ前記自動販売機に付ける二次元コードがリンクするオンラインモール提供設備であるサーバに用いられる自動販売機の制御方法であって、
移動端末が前記自動販売機に付ける二次元コードをスキャンして送信したアクセス要求を受信するステップと、
前記オンラインモールに対応し、かつ、展示されている商品が前記自動販売機に実際に展示されている商品に対応しているオンライン商品展示画面を前記移動端末に提供するステップと、
前記移動端末によってユーザが前記オンラインモールから選択した商品を確定した後、ユーザが選択できる少なくとも一つの支払方式を含む支払画面を前記移動端末にプッシュして表示させるステップと、
前記移動端末によって前記ユーザが選出した支払方式を確定した後、前記支払方式に対応する支払ツールバックグラウンドにドッキングして、前記支払ツールの支払画面を前記移動端末にプッシュして、前記ユーザの電子支払に用いられるステップと、
前記支払ツールからフィードバックされた支払成功信号を受信したとき、前記自動販売機から対応商品が送出されるように、前記自動販売機へ前記ユーザが前記オンラインモールから選択した商品の識別情報を有する商品送出命令を送信するステップと、を含むことを特徴とする自動販売機の制御方法。
【請求項２】
前記移動端末が前記自動販売機に付ける二次元コードをスキャンして送信したアクセス要求を受信するステップは、
前記移動端末が前記支払ツールを利用して前記自動販売機に付ける二次元コードをスキャンして送信したアクセス要求を受信するステップを含むことを特徴とする請求項１に記載の自動販売機の制御方法。
【請求項３】
前記支払画面を前記移動端末にプッシュして表示させるステップは、
前記支払ツールのバックグラウンドにドッキングすることによって前記支払ツールの支払画面を取得するステップと、
前記支払ツールの支払画面を前記移動端末にプッシュして表示させるステップと、を含むことを特徴とする請求項２に記載の自動販売機の制御方法。
【請求項４】
前記移動端末に、前記オンラインモールに対応するオンライン商品展示画面を提供するステップの前に、さらに、
前記二次元コードに対応する商品配列情報、価格情報及び商品数量をサーチするステップと、
前記商品配列情報、前記価格情報及び前記商品数量によって前記オンライン商品展示画面を生成するステップと、を含むことを特徴とする請求項１に記載の自動販売機の制御方法。
【請求項５】
前記商品配列情報、前記価格情報及び前記商品数量によって前記オンライン商品展示画面を生成するステップは、
前記商品配列情報によって表示画面に位置する前記商品の位置を確定するステップと、
前記商品に対応する画像と価格情報を前記位置に追加して前記オンライン商品展示画面を生成するステップと、を含むことを特徴とする請求項４に記載の自動販売機の制御方法。
【請求項６】
さらに、
前記自動販売機に展示された商品の種類が変化したとき、前記二次元コードに対応する商品配列情報と価格情報を更新するステップと、
前記自動販売機から商品が売出され又は商品が補足されたとき、前記二次元コードに対応する商品数量を更新するステップと、
前記商品数量が予め設定された在庫値より低いとき、作業員の移動端末に注意メッセージを送信するステップと、を含むことを特徴とする請求項４に記載の自動販売機の制御方法。
【請求項７】
自動販売機と通信接続され且つ前記自動販売機に付ける二次元コードがリンクするオンラインモール提供設備であるサーバに設けられる自動販売機の制御装置であって、
移動端末が前記自動販売機に付ける二次元コードをスキャンして送信したアクセス要求を受信するための受信モジュールと、
前記オンラインモールに対応し、かつ、展示されている商品が前記自動販売機に実際に展示されている商品に対応しているオンライン商品展示画面を前記移動端末に提供するための商品展示画面提供モジュールと、
前記移動端末によってユーザが前記オンラインモールから選択した商品を確定した後、前記ユーザが選択できる少なくとも一つの支払方式を含む支払画面を前記移動端末にプッシュして表示させるための支払プッシュモジュールと、
前記移動端末によって前記ユーザが選出した支払方式を確定した後、前記支払方式に対応する支払ツールバックグラウンドにドッキングして、前記支払ツールの支払画面を前記移動端末にプッシュして、前記ユーザの電子支払に用いられるための支払モジュールと、
前記支払ツールからフィードバックされた支払成功信号を受信したとき、前記自動販売機から対応商品が送出されるように、前記自動販売機へ前記ユーザが前記オンラインモールから選択した商品の識別情報を有する商品送出命令を送信するための商品送出命令送信モジュールと、を有することを特徴とする自動販売機の制御装置。
【請求項８】
サーバが提供するオンラインモールにリンクする二次元コードだけを取引ポータルツールとする自動販売機であって、
さらに信号受信機とコントローラとを有し、
前記信号受信機は、サーバからの、ユーザが前記オンラインモールから選択した商品の識別情報を有する商品送出命令を受信するとともに前記商品送出命令を前記コントローラに送信し、
前記コントローラは、前記商品送出命令を受信した後、前記自動販売機内部の伝動装置を起動して前記識別情報に対応する商品を送出することを特徴とする自動販売機。
【請求項９】
前記自動販売機の筐体は、前記自動販売機内の商品の実情報を確認できる透明ガラス窓と、ユーザに商品を提供できる商品送出口と、前記商品を追加できる商品追加ドアとを有し、
前記自動販売機は、さらに前記コントローラに接続されている照明ランプを有し、
前記照明ランプは、前記自動販売機が起動するときに前記コントローラの命令を受信して前記二次元コードと全ての展示商品に対して照明を提供することを特徴とする請求項８に記載の自動販売機。
【請求項１０】
サーバと請求項８又は９に記載の自動販売機とを有し、
前記サーバは、請求項７に記載の自動販売機の制御装置を有し、
前記サーバは、前記自動販売機と通信接続されていることを特徴とする自動販売機システム。
【発明の詳細な説明】
【技術分野】
【０００１】
本発明は、知能販売技術分野に関し、特に、自動販売機及びその制御方法、制御装置、システムに関する。
【背景技術】
【０００２】
自動販売機のショッピングフローは、顧客が物理的なキー（ボタン）又はタッチスクリーンを利用し商品を選択して自動販売機に取引画面を起動させるステップと、現金やオンライン決済、銀行カード等によって支払うステップと、自動販売機がサーバからの支払完了情報命令を受信した後、内部の機械伝動装置を起動させ、商品を落とさせて顧客に渡すステップとを含む。
【０００３】
従来の自動販売機は、複雑なマンマシン対話型の物理的なキーと、タッチスクリーンと、現金又は銀行カード支払装置と、それらの制御部品とを有するので、設備の複雑性、生産コスト、故障率及びメンテナンスコストが高くなり、産業全体の発展を妨げている。
【０００４】
従来技術の自動販売機の取引方式による高コストの課題に対して、今まで有効的な解決方法が提出されていない。
【発明の概要】
【０００５】
本発明は、上記の課題を鑑みてなされたものであり、自動販売機のコストを低減できる自動販売機及びその制御方法、制御装置、システムを提供することを目的とする。
【０００６】
第１局面において、本発明の実施例は、自動販売機と通信接続され且つ自動販売機に付ける二次元コードがリンクするオンラインモール提供設備であるサーバに用いられ、移動端末が自動販売機に付ける二次元コードをスキャンして送信したアクセス要求を受信するステップと、移動端末に、オンラインモールに関連し且つ自動販売機に実際に展示されている商品に対応するオンライン商品展示画面を送信するステップと、移動端末によってユーザがオンラインモールから選択した商品を確定した後、ユーザが選択できる少なくとも一つの支払方式を含む支払画面を移動端末にプッシュして表示させるステップと、移動端末によってユーザが選出した支払方式を確定した後、支払方式に対応する支払ツールバックグラウンドにドッキングして、支払ツールの支払画面を移動端末にプッシュして、ユーザの電子支払に用いられるステップと、支払ツールからフィードバックされた支払成功信号を受信したとき、自動販売機から対応商品が送出されるように、自動販売機へユーザがオンラインモールから選択した商品の識別情報を有する商品送出命令を送信するステップとを含む自動販売機の制御方法を提供する。
【０００７】
第１局面に関して、本発明の実施例は、移動端末が自動販売機に付ける二次元コードをスキャンして送信したアクセス要求を受信するステップは、移動端末が支払ツールを利用して自動販売機に付ける二次元コードをスキャンして送信したアクセス要求を受信するステップを含む第１局面の第１の実施可能な形態を提供する。
【０００８】
第１局面の第１の実施可能な形態に関して、本発明の実施例は、支払画面を移動端末にプッシュして表示させるステップは、支払ツールのバックグラウンドにドッキングすることによって支払ツールの支払画面を取得するステップと、支払ツールの支払画面を移動端末にプッシュして表示させるステップとを含む第１局面の第２の実施可能な形態を提供する。
【０００９】
第１局面に関して、本発明の実施例は、移動端末に、オンラインモールに対応するオンライン商品展示画面を送信するステップの前に、さらに二次元コードに対応する商品配列情報、価格情報及び商品数量をサーチするステップと、商品配列情報、価格情報及び商品数量によってオンライン商品展示画面を生成するステップとを含む第１局面の第３の実施可能な形態を提供する。
【００１０】
第１局面の第３の実施可能な形態に関して、本発明の実施例は、商品配列情報、価格情報及び商品数量によってオンライン商品展示画面を生成するステップは、商品配列情報によって表示画面に位置する商品の位置を確定するステップと、商品に対応する画像と価格情報を位置に追加してオンライン商品展示画面を生成するステップとを含む第１局面の第４の実施可能な形態を提供する。
【００１１】
第１局面の第３の実施可能な形態に関して、本発明の実施例は、自動販売機に展示された商品の種類が変化したとき、二次元コードに対応する商品配列情報と価格情報を更新するステップと、自動販売機から商品が売出され又は商品が補足されたとき、二次元コードに対応する商品数量を更新するステップと、商品数量が予め設定された在庫値より少ないとき、作業員の移動端末に注意メッセージを送信するステップとを含む第１局面の第５の実施可能な形態を提供する。
【００１２】
第２局面において、本発明の実施例は、自動販売機と通信接続され且つ自動販売機に付ける二次元コードがリンクするオンラインモール提供設備であるサーバに設けられ、移動端末が自動販売機に付ける二次元コードをスキャンして送信したアクセス要求を受信する受信モジュールと、移動端末にオンラインモールに関連し且つ自動販売機において実際に展示されている商品に対応するオンライン商品展示画面を送信するための商品展示画面提供モジュールと、移動端末によってユーザがオンラインモールから選択した商品を確定した後、ユーザが選択できる少なくとも一つの支払方式を含む支払画面を移動端末にプッシュして表示させるための支払プッシュモジュールと、移動端末によってユーザが選出した支払方式を確定した後、支払方式に対応する支払ツールバックグラウンドにドッキングして、支払ツールの支払画面を移動端末にプッシュして、ユーザの電子支払に用いられるための支払モジュールと、支払ツールからフィードバックされた支払成功信号を受信したとき、自動販売機から対応商品が送出されるように、自動販売機へユーザがオンラインモールから選択した商品の識別情報を有する商品送出命令を送信するための商品送出命令送信モジュールとを有する自動販売機の制御装置を提供する。
【００１３】
第３局面において、本発明の実施例は、サーバが提供するオンラインモールにリンクする二次元コードだけを取引ポータルツールとし、さらに信号受信機とコントローラとを有し、上記信号受信機は、サーバからのユーザがオンラインモールから選択した商品の識別情報を有する商品送出命令を受信するとともに商品送出命令を前記コントローラに送信し、コントローラは、商品送出命令を受信した後、自動販売機内部の伝動装置を起動して識別情報に対応する商品を送出する自動販売機を提供する。
【００１４】
第３局面に関して、本発明の実施例は、自動販売機の筐体は、自動販売機内の商品の実情報を確認できる透明ガラス窓と、ユーザに商品を提供できる商品送出口と、商品を追加できる商品追加ドアとを有し、自動販売機は、さらにコントローラに接続されている照明ランプを有し、照明ランプは、自動販売機が起動するときコントローラの命令を受信して二次元コードと全ての展示商品に対して照明を提供する第３局面の第１の実施可能な形態を提供する。
【００１５】
第４局面において、本発明の実施例は、サーバと第３局面及びその実施可能な形態の一つで提供する自動販売機とを有し、サーバは、第２局面で提供する自動販売機の制御装置を有し、上記サーバは、上記自動販売機と通信接続されている自動販売機システムを提供する。
【００１６】
本発明の実施例は、以下の有益な効果を奏する。
【００１７】
本実施例に係る自動販売機及びその制御方法、制御装置、システムは、モバイルネットワークによるものである。ユーザは、二次元コードをスキャンする方式によってオンラインモールに入り、当該オンラインモールで商品の選択を行うとともに、支払ツールを利用して電子支払を行うことができる。商品の選択、支払手段の全てはオンラインで完結できる。自動販売機は取引ポータルとして二次元コードだけ有することを必要とし、マンマシン対話型の物理的なキーと、タッチスクリーンと、現金又は銀行カード支払装置と、それらの制御部品とが必要ではないので、自動販売機のコストが極めて低減された。また、上記オンラインモールに展示された商品が自動販売機に展示された商品に完全に対応しているので、ユーザの「ウィジウィグ」、「見たままが直ちに得られる」の体験を実現でき、ユーザの消費満足度を向上できるとともに経営効率を向上できる。
【００１８】
本発明のその他の特徴とメリットは、以下の明細書に説明される。そして、その一部は、明細書によって理解でき又は本発明を実施することによって理解できる。本発明の目的とその他のメリットは、明細書、特許請求の範囲及び図面に特に記載された構造で実現及び獲得できる。
【００１９】
本発明の上記の目的、特徴とメリットをより分かり易くするために、以下、好ましい実施例を挙げて、そして図面を参照して詳しく説明する。
【図面の簡単な説明】
【００２０】
以下、本発明を実施するための形態又は従来技術の技術方案をより明瞭に説明するために、本発明を実施するための形態又は従来技術の技術方案の説明に必要な図面を簡単に説明する。下記の図面は、本発明の一部の実施形態を示したものに過ぎず、当業者は、創造的な労働をしなくても、これらの図面からその他の関連する図面を得られると理解すべきである。
【図１】本発明の実施例に係る自動販売機の制御方法の流れを示す模式図である。
【図２】本発明の実施例に係る自動販売機の制御装置の構成を示す模式図である。
【図３】本発明の実施例に係る自動販売機の構成を示す模式図である。
【図４】本発明の実施例に係る自動販売機システムの構成を示す模式図である。
【発明を実施するための形態】
【００２１】
以下、本発明の実施例の目的、技術方案及び利点をより明瞭にするために、図面を参照して、本発明の技術方案を明瞭且つ完全に説明する。説明する実施例は、本発明の一部の実施例であり、全ての実施例ではないと理解すべきである。当業者が本発明における実施例に基づいて創造的な労働をしなくて得られる全てのその他の実施例は、本発明の保護範囲に該当する。
【００２２】
現在、ユーザは、自動販売機を利用して、物理的なボタン、自動販売機のタッチスクリーン等のマンマシン対話型の方式によって、自動販売機に取引画面を起動させ商品を選択する等の基本取引作業を完成させる。支払の際に、現金支払やオンライン支払、銀行カード支払等を複数選択できる。具体的に、オンライン支払とは、ユーザがウィーチャット、アリペイ等の支払ツールを利用し、携帯電話等の移動端末設備で、自動販売機のスクリーンに表示された二次元コードをスキャンして、オンライン支払を完結することである。自動販売機は、サーバからの支払完了情報命令を受信した後、内部の機械伝動装置を起動させ、商品を落とさせてユーザに渡す。
【００２３】
従来の自動販売機は、複雑なマンマシン対話型の物理的なキーと、自動販売機のタッチスクリーンと、現金又は銀行カード支払装置と、それらの制御部品とを有するため、設備の複雑性、生産コスト、故障率及びメンテナンスコストが高くなり、設備コストが高くなるので、産業全体の発展を妨げている。従来技術は、ネットワーク技術を単に支払手段として利用したが、それを十分に利用して消費体験と経営効率とを向上する効果を奏しないとともに、消費者と対話するデジタル経営を実現できなかった。これらに鑑みて、本発明の実施例に係る自動販売機及びその制御方法、制御装置、システムは、自動販売機のコストを低減できるようにした。
【００２４】
本実施例を理解させるために、まず、本発明の実施例で公開されている自動販売機の制御方法を詳細に説明する。
【実施例１】
【００２５】
本発明の実施例に係る自動販売機の制御方法を、図１の自動販売機の制御方法の流れ模式図に示す。当該方法はサーバで用いられる。当該サーバは、自動販売機と通信接続され、自動販売機に付ける二次元コードがリンクするオンラインモール提供設備である。即ち、当該サーバは、二次元コードがリンクするオンラインモールを提供する。当該実施形態に示す処理フローは、以下のステップを含む。
【００２６】
ステップＳ１１は、移動端末が、自動販売機に付ける二次元コードをスキャンして送信したアクセス要求を受信する。
【００２７】
上記自動販売機の本体に二次元コードを付ける。当該二次元コードは予めオンラインモールにリンクされている。ユーザは、ショッピングするとき、移動端末で二次元コードをスキャンしてアクセス要求を送信できる。当該二次元コードにおいてさらに当該自動販売機のＩＤ情報を含むと理解できる。上記移動端末は、スマートフォン、タブレット等の移動電子設備を含むが、これらに限るものではない。ここで、特に、上記自動販売機の取引ポータルは、上記二次元コードだけ含み、その他の商品選択又は取引を行う装置が設けられていないと強調する。
【００２８】
具体的に、ユーザの移動端末による二次元コードのスキャン操作は、移動端末にインストールされたＡＰＰ（Ａｐｐｌｉｃａｔｉｏｎ）で行われる。二次元コードをスキャンする専用ＡＰＰ、二次元コードをスキャンする機能を有するブラウザ（例えばＵＣブラウザ等）又は二次元コードをスキャンできる機能を有する支払ツール（例えばウィーチャット、アリペイ等）を含む。
【００２９】
ステップＳ１２は、オンラインモールに対応し、かつ、展示されている商品が自動販売機に実際に展示されている商品に対応しているオンライン商品展示画面を移動端末に提供する。
【００３０】
サーバは、ユーザが移動端末で二次元コードをスキャンして送信したアクセス要求を受信した後、当該移動端末へオンラインモールに対応する商品展示画面を送信し、当該移動端末で表示させる。ユーザの「ウィジウィグ」、「見たままが直ちに得られる」の消費体験を保証するために、送信された上記商品展示画面内の展示商品を自動販売機の展示商品に対応させる。即ち、オンラインモール商品展示画面内の商品の設置位置、価格情報を自動販売機内のものに完全に対応させる。又は、商品の縦横配列方向は一致しないが、位置、価格情報は同じである。ユーザが当該オンラインモールに入った後、オンラインモールの案内、目前の実体設備内の商品の観察及び個人の意欲によって、商品を選択できる。
【００３１】
ステップＳ１３は、移動端末によってユーザがオンラインモールから選択した商品を確定した後、ユーザが選択できる少なくとも一つの支払方式を含む支払画面を移動端末にプッシュして表示させる。
【００３２】
ユーザが移動端末で表示されているオンラインモールの商品展示画面から商品を選択した後、移動端末からサーバへ商品選択信号を送信し、ユーザが選択した商品の種類と数量を確定してから、支払画面を移動端末にプッシュして表示させる。上記に説明するように、複数種類の二次元コードをスキャンできるＡＰＰが存在する。例えばユーザが使用するのが、二次元コードをスキャンする専用ＡＰＰであれば、ユーザの選択できる少なくとも一つの支払方式を含む支払画面を移動端末にプッシュして表示させる必要がある。また、例えばユーザが使用するのが、二次元コードをスキャンできる機能を有する支払ツールであれば、支払画面を移動端末にプッシュして表示させる。具体的に以下のステップを含む。
【００３３】
１、サーバは、支払ツールのバックグラウンドにドッキングすることによって支払ツールの支払画面を取得する。サーバは、二次元コードをスキャンするエントリツール（即ち上記の支払ツール）を利用して、ユーザの送信元を選別し、支払ツールのバックグラウンドにドッキングして支払ツールの支払画面を取得する。
【００３４】
２、支払ツールの支払画面を移動端末にプッシュして表示させる。移動端末が支払画面を受信した後、支払画面にスキップして表示され、ユーザの電子支払に用いられる。
【００３５】
ステップＳ１４は、移動端末によってユーザが選出した支払方式を確定した後、支払方式に対応する支払ツールバックグラウンドにドッキングして、支払ツールの支払画面を移動端末にプッシュして、ユーザの電子支払に用いる。
【００３６】
上記のユーザが二次元コードをスキャンする専有のＡＰＰを使用する場合、ユーザが利用できる支払方式の一つを選択すると、サーバは、支払方式に対応する支払ツールバックグラウンドにドッキングし、支払ツールの支払画面を移動端末にプッシュして、ユーザの電子支払に用いられる。ユーザが当該支払画面で電子支払を行った後、当該支払ツールがサーバに支払成功信号をフィードバックする。
【００３７】
ステップＳ１５は、支払ツールからフィードバックされた支払成功信号を受信したとき、自動販売機から対応商品が送出されるように、ユーザがオンラインモールから選択した商品の識別情報を有する商品送出命令を自動販売機へ送信する。
【００３８】
支払成功信号を受信したとき、サーバは、３Ｇ方式等を含むデータ伝送回路によって、当該二次元コードに対応する自動販売機に命令をリモート的に送信し、自動販売機にコイルバネを回動させ、商品を押し出してユーザに渡す。
【００３９】
移動端末へオンラインモールに対応する商品展示画面を提供する前に、オンライン商品展示画面を生成するステップを含む。具体的には以下のようになる。
【００４０】
１、上記二次元コードに対応する商品配列情報、価格情報及び商品数量をサーチする。
２、商品配列情報、価格情報及び商品数量によってオンライン商品展示画面を生成する。その際、ステップ２は、商品配列情報によって表示画面に位置する商品の位置を確定するステップと、商品に対応する画像と価格情報を上記位置に追加してオンライン商品展示画面を生成するステップとを含む。
【００４１】
各二次元コードがそれぞれ特定の自動販売機に対応し、各自動販売機内の商品の種類、価格、設置位置及び数量が異なり又は経時変化するので、商品配列情報、価格情報及び商品数量をサーチしてから、上記情報によって商品展示画面を生成する。
【００４２】
本実施例に係る上記自動販売機の制御方法は、モバイルネットワークによるものである。ユーザは、二次元コードをスキャンする方式によってオンラインモールに入り、当該オンラインモールで商品の選択を行うとともに、支払ツールを利用して電子支払を行うことができる。商品の選択、支払手段の全てはオンラインで完成できる。自動販売機が取引ポータルとして二次元コードだけを有することが必要とし、マンマシン対話型の物理的なキーと、タッチスクリーンと、現金又は銀行カード支払装置と、それらの制御部品とが必要ではないので、自動販売機のコストが極めて低減された。また、上記オンラインモールに展示された商品が自動販売機に展示された商品に完全に対応しているので、ユーザの「ウィジウィグ」、「見たままが直ちに得られる」の体験を実現でき、ユーザの消費満足度を向上できるとともに経営効率を向上できる。
【００４３】
自動販売機内の商品の種類、価格、設置位置及び数量が変化することがあると考慮する上、上記方法は、さらに、自動販売機に展示された商品の種類が変化したとき、二次元コードに対応する商品配列情報と価格情報を更新するステップと、自動販売機から商品が売出され又は商品が補足されたとき、二次元コードに対応する商品数量を更新するステップと、商品数量が予め設定された在庫値より低いとき、作業員の移動端末に注意メッセージを送信するステップとを含む。
【００４４】
上記の更新操作によって、サーバには、自動販売機内の商品の各種類の情報を正確に保存できるので、自動販売機に展示された商品に対応する商品展示画面を正確に生成でき、ユーザのショッピング体験を向上できる。
【００４５】
オンラインで消費者との間にデジタル経営を行うために、支払完了した後、さらに、移動端末へアンケートを送信してもよいし、商品の識別情報によって取引推薦情報を送信してもよいし、取引特性によって他の取引画面に案内してもよい。
【実施例２】
【００４６】
本発明の実施例２に係る自動販売機の制御装置はサーバに設けられる。当該サーバは、自動販売機と通信接続され、自動販売機の二次元コードがリンクするオンラインモール提供設備である。
【００４７】
図２に示すように、当該自動販売機の制御装置は、受信モジュール２１と、商品展示画面提供モジュール２２と、支払プッシュモジュール２３と、支払モジュール２４と、商品送出命令送信モジュール２５とを有する。上記の各モジュールは以下の機能を有する。
【００４８】
受信モジュール２１は、移動端末が自動販売機の二次元コードをスキャンして送信したアクセス要求を受信するためのものである。
【００４９】
商品展示画面提供モジュール２２は、オンラインモールに対応し、かつ、展示されている商品が自動販売機に実際に展示されている商品に対応しているオンライン商品展示画面を移動端末に提供するためのものである。
【００５０】
支払画面プッシュモジュール２３は、移動端末によってユーザがオンラインモールから選択した商品を確定した後、ユーザが選択できる少なくとも一つの支払方式を含む支払画面を移動端末にプッシュして表示させるためのものである。
【００５１】
支払モジュール２４は、移動端末によってユーザが選出した支払方式を確定した後、支払方式に対応する支払ツールバックグラウンドにドッキングして、支払ツールの支払画面を移動端末にプッシュして、ユーザの電子支払に用いられるためのものである。
【００５２】
商品送出命令送信モジュール２５は、支払ツールからフィードバックされた支払成功信号を受信したとき、自動販売機から対応商品が送出されるように、自動販売機へユーザがオンラインモールから選択した商品の識別情報を有する商品送出命令を送信するためのものである。
【００５３】
当業者は、上記の自動販売機の制御装置の具体的な動作過程として、前記方法の実施例における対応過程を参照できるので、便宜のためにそれを省略する。
【実施例３】
【００５４】
本発明の実施例３は、サーバが提供するオンラインモールにリンクする二次元コードだけを取引ポータルツールとする自動販売機である。ユーザは、上記二次元コードをスキャンすることによって商品の選択と支払を行う。
【００５５】
自動販売機は、サーバからの商品送出命令を受信する必要があり、図３に示すように、信号受信機３１、コントローラ３２及び機械伝動装置３３を備える。当該信号受信機３１は、サーバからの、ユーザがオンラインモールから選択した商品の識別情報を有する商品送出命令を受信するとともに商品送出命令をコントローラ３２に送信する。コントローラ３２は、商品送出命令を受信した後、自動販売機内部の機械伝動装置３３を起動して識別情報に対応する商品を送出する。そして、商品の選択、支払手段の全てはオンラインで完成できる。自動販売機は、商品を渡す設備だけであり、取引全体の最後の一環である。
【００５６】
具体的には、上記自動販売機の筐体は、自動販売機内の商品の実情報を確認できる透明ガラス窓と、ユーザに商品を提供できる商品送出口と、商品を追加できる商品追加ドアとを有する。
【００５７】
ここで強調すべきなのは、上記自動販売機が取引ポータルとして二次元コードを一つだけ有し、該二次元コードがさらに当該自動販売機のＩＤ情報を含む。取引ポータルとして当該二次元コードだけを有し、マンマシン対話型の物理的なキーと、タッチスクリーンと、現金又は銀行カード支払装置と、それらの制御部品とが必要ではない。上記二次元コードは複数の支払ツールで利用できるので、いずれの支払ツールが、当該二次元コードをスキャンして取引を行われる。
【００５８】
さらに、上記自動販売機は、さらにコントローラに接続されている照明ランプを有する。照明ランプは、自動販売機が起動するとき、コントローラの命令を受信して二次元コードと全ての展示商品に対して照明を提供する。自動販売機がよく室内に取り付けるので、自動販売機が起動された直後に照明ランプを制御して照明を行うことが好ましい。
【００５９】
本実施例に係る上記自動販売機は、取引ポータルとして二次元コードを有し、マンマシン対話型の物理的なキーと、タッチスクリーンと、現金又は銀行カード支払装置と、それらの制御部品とが必要ではないので、自動販売機のコストが極めて低減された。
【実施例４】
【００６０】
図４に示すように、本発明の実施例４は、サーバ１００と実施例３で提供する自動販売機２００とを有する自動販売機システムを提供する。当該サーバは、実施例２で提供する自動販売機の制御装置１０１を有する。当該サーバは自動販売機と通信接続されている。サーバ１００は、複数台の自動販売機２００と通信接続可能と理解できる。
【００６１】
上記自動販売機は、サーバが提供するオンラインモールにリンクする二次元コードを有し、該二次元コードがさらに当該自動販売機のＩＤ情報を含む。
【００６２】
本発明の実施例に係る自動販売機システムは、上記実施例に係る自動販売機及び自動販売機の制御装置と同一な技術特徴を有するので、同じ技術課題を解決できるとともに、同じ技術効果を奏する。
【００６３】
本発明の実施例に係る自動販売機及びその制御方法、制御装置、システムのコンピュータプログラム製品は、プログラムコードが記憶されているコンピュータの読み取り可能な記憶媒体を含む。プログラムコードに含まれる命令は、前記方法の実施例における方法を実行できる。詳細は、方法の実施例を参照し、ここに省略する。
【００６４】
また、本発明の実施例の説明において、明確な規定と制限がない限り、「取付」、「連続」、「接続」などの用語は、広義的に理解すべきである。例えば、固定接続でもよいし、取外し可能な接続でもよいし、一体接続でもよい。そして、機械的な接続でもよいし、電気接続でもよい。また、直接的に接続されてもよいし、中間物を介して間接的に接続されてもよいし、２つの部材の内部の連通でもよい。当業者は、状況によって本発明における上記用語の具体的な意味を理解してもよい。
【００６５】
前記機能は、ソフトウェア機能ユニットの形式で実現され且つ独立の製品として市販されたり、使用されたりすると、コンピュータの読み取り可能な記憶媒体に記憶できる。このような理解に基づいて、本発明の技術方案のそのもの、従来技術に貢献する部分或いは該技術方案の一部は、ソフトウェア製品の形式で実現できる。該コンピュータソフトウェア製品は記憶媒体に記憶できる。また、コンピュータ装置（個人用コンピュータ、サーバ或いはネットワーク装置等）に本発明の各実施例の前記方法の全て又は一部を実行させるように複数の命令を含む。前記した記憶媒体は、ＵＳＢディスク、携帯型ハードディスク、リードオンリーメモリ（ＲＯＭ：Ｒｅａｄ  Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等の各種のプログラムコードを記憶できる媒体を含む。
【００６６】
本発明の説明において、「中心」、「上」、「下」、「左」、「右」、「垂直」、「水平」、「内」、「外」等の用語が表す方位或いは位置関係は、図面に基づくものであり、本発明を便宜及び簡略に説明するためのものに過ぎず、該当装置或いは素子が必ず特定の方向を有し、特定の方向に構成されたり操作されたりすることを明示又は暗示するものではないと理解すべきであって、本発明に対する限定と理解すべきではない。また、「第１」、「第２」、「第３」等の用語は、区別させるためのものだけであり、重要性を明示又は暗示するものではないと理解すべきである。
【００６７】
最後、上記の実施例は、本発明の具体的な実施形態であり、本発明の技術方案を説明するものであり、制限するものではない。本発明の保護範囲は、これに限るものではない。前記実施例を参照して本発明を詳細に説明したが、当業者は、本発明に記載の技術範囲内で、前記の実施例に記載の技術方案を修正又は変更、又はその一部の技術特徴を置き換えることができる。これらの修正、変更又は置き換えは、相応する技術方案の本質を本発明の実施例の技術方案の主旨と範囲から脱離させなく、全て本発明の保護範囲内に含まれる。このため、本発明の保護範囲は、特許請求の範囲に示される。
【図１】
2018181289.tif 000003
【図２】
2018181289.tif 000004
【図３】
2018181289.tif 000005
【図４】
2018181289.tif 000006